(57)【要約】      （修正有）【課題】球型回転式洗濯槽にすることにより、洗濯槽と水槽に別れさせることができるため、大量の節水が出来るとともに、大量の泡水を製造して洗濯をすることで洗濯時間を短時間化できる洗濯機を提供する。【解決手段】球型回転式洗濯槽は、水槽である外槽と洗濯槽である内槽に分けて構成し、水と洗剤を外槽に入れて内槽を回転すると濃縮洗剤液を泡に替え大量の泡が出来る。そこに衣類を入れると奥深く浸透した繊維の汚れが除去でき、内槽を回転すると遠心力で、衣類が上方向に競り上がり上方面より落下する。そのときの衝撃で衣類の繊維に圧力が加わり汚れが分解される。このことにより、少ない水と短時間化された洗濯が可能となる。【選択図】図２
2007007375.tif 000002
【特許請求の範囲】
【請求項１】
洗濯機の洗濯槽を球型回転式にする事で水の節約と洗剤の効果を充分に活用出来る装置の考案です。
洗濯槽と水槽に分ける事で、水も少々で洗えるし、洗剤も大量の泡が造れるし、作業時間も短縮出来る発明です「球型回転式洗濯槽」です。
【請求項２】
球型回転式洗濯槽は球状態の槽が回転する事で遠心の作用により衣類がむらなく回転移動しながら上方面より落下する衝撃が叩き洗いに同等で、回転移動が、もみ洗いに同等する、また球型は回転すると槽の中で衣類が遠心により球の中心部に集まる集成があります、中心からの上下移動する事で大変理想な作業行程です、これが球型回転式洗濯槽の本命です。ここに申し上げ提供致します。
【請求項３】
球型は、従来のタテ型の、大量の水に定量の洗剤で水槽の中を泳ぎ洗いではなく、球型回転式洗濯槽は水槽と洗濯槽の二つに分けており、洗濯槽は水はけの優れた鋭い部品で構成し、水槽は水もれのしない部品を固定式し、役目は水の貯蔵と洗剤の泡タテ装置で大量の泡を洗濯槽に水流する所です、洗濯槽とは衣類を入れて水槽から少量の水と超濃厚の泡を頂き、回転すると衣類は大量の泡に包まれて、球の真上から落下し、その衝撃の圧力で繊維の汚れを分解してくれる装置が洗濯槽です、水槽と洗濯槽の組合せのギャップは洗剤から泡水が大量に造れる、容積があれば充分です、水が多いと衣類は浮き泳ぎで遊び、回転しません水は洗濯槽の底より少々の位置です、水嫌い、泡タテ上手の球型回転式洗濯槽です。
【発明の詳細な説明】
【技術分野】
【０００１】本発明は、洗濯槽の槽全体を球型回転式洗濯槽にすることですべての面が節約出来る洗濯槽です、洗濯槽を球型回転式洗濯槽にすると水が大変少量で済みます、従来の洗濯機は大量の水に適量の洗剤を入れても、泡が満足に出ないのに衣類を入れ、洗浄しますから大変時間がかかり、また水も大量に使いましたが、球型回転式洗濯槽は水が少ないところに適量の洗剤を入れて運転すると物すごい泡立ちで、洗濯槽全体が泡です、そこに衣類を入れると繊維に泡が浸透し、酵素の力で汚れを分解し解決してくれます、球型回転式洗濯槽の水は洗濯物が洗剤水の泡水がたっぷりと、しみこんでぬれた程度です、水が多いと球型回転式洗濯槽の衣類は回転しません、衣類が球型回転式洗濯槽から浮くので球型回転式洗濯槽だけが空回りしてしまいます、球型回転式洗濯槽は、水は少々で済みます。以上が本発明の提供です。
【背景技術】
【０００２】従来の洗濯槽はタテ型で水槽に水を入れパルセータが回転して、水の圧力で衣類が回り、衣類同士の衝撃で汚れが落ちる仕組みでした、大量の水を使用し、洗剤の泡も無く無駄な時間ばかりを失う、すすぎに付いても無駄な水を大量に使用し、雑音もかなり響いていた、不経済的な洗濯機でした。最近になってドラム式等が誕生しましたが、まだまだ改革の必要せいが有ると思い、ここに試作品を作りながらアイデアを生かし、ここに球型回転式洗濯槽を試作致し、ここに背景技術の説明を致します。
【発明の開示】
【発明が解決しようとする課題】
【０００３】従来の洗濯機はタテ型で大量の水が必要です、大量の水に適量の洗剤を入れても水の量が多い物ですから泡立ちもしません、そんな洗濯機で今でも頑張っていますこれからの洗濯機は高齢者にも優しい、簡単な操作で環境に、自然に節約型の時代に似合う、経済的に考えついたのが、球型回転式洗濯槽です、水の節約と洗濯時間の短縮に洗剤の持つ成分の引き出せる、構造で経済的にも大変貢献出来る球型回転式洗濯槽で、今世紀にむけて出発したいです、従来の洗濯機は大変大量の水が必要で洗濯時間も大変長くかかり大変不経済型洗濯機でしたこれからは球型回転式洗濯槽の球型ロータリ式洗濯機とでも言う、節約型洗濯機にしたいです。
（この発明で解決しようとするねらい）
球型型回転式洗濯槽は、球型の洗濯槽なので、水が大変節約出来る事です、それは洗濯槽と水槽の、二種類の槽で構成し、洗濯槽とは内槽の事です、水槽とは外槽の事です、内槽に洗濯物を入れて、外槽に水と洗剤を入れて、内槽を回転させると、大量の高濃厚の泡と洗剤液が洗擢物に浸透し、回転移動をするさいに、衝撃の圧力で繊維の中奥まで洗剤液が凍み込み、酵素の力で汚れを分解して解決してくれます、仕組みに付いては、まず球型回転式洗濯槽は、水が大変少なくて洗える事です、洗剤液からの泡たちが物すごく良い事です、汚れの落ちるのが早いのと無駄な時間が解消できる事です、解決のねらいは、槽を二つにする事です、洗濯槽と水槽に分ける事で、節約が出来る、洗濯槽は、洗濯物を叩いて、もみ洗いをする所です、水槽は洗剤液から泡だてして洗濯物に補給する所です、このような分離構成によって、節水とか洗剤液からの成分酵素の引出し等が大変素早く出来る機能が球型回転式洗濯槽の仕組みで、洗い場と洗剤液からの超濃厚の泡たて工場等に分離する事で、従来の大量の洗濯水の中で、泳ぎ洗いとは違い球の中で、上下と回転移動の衝撃と圧力で汚れを分解して解決しょうとする、本発明です。
ここに説明致します。
【課題を解決するための手段】
【課題を解決するための手段と仕組みについて説明致します】
【０００４】洗濯槽を従来のタテ型とかドラム式とは違う、球型回転式洗擢槽にする事で、水が大変節約でき、作業時間も短縮で経済的です、この構造は大変簡単で、球型回転式洗濯槽とは、水はけの良い構造をした洗濯槽で、それに洗剤液をたっぷりと浸透した衣類を入れ、回転反転すると球槽の中で衣類は回転によって上下移動をする事で洗浄される構造です、まず水はけの良い球型形状の洗濯槽とは（細目の金網状球形とか鉄板球形で無数の大小の水はけの良い部品）で構成された球型の洗濯槽です、この球槽に衣類を入れて回転すると、衣類は球の真上から下に向って落下する、落ちた衝撃の圧力で繊維の奥深くの汚れまで洗剤の酵素の力で分解して解決する仕組みです。（球型転落応用方式洗濯槽）
球型回転式洗濯槽これが今回の発明品です、球型回転式洗濯槽と固定式水槽の二つの槽の組合せです、洗濯槽が内槽と申します、内槽は洗う物を入れて回転反転させる所です、水槽の事を外槽と申しまして、外槽は水と洗剤を入れて、内槽を回転すると大量の泡を造り出せる槽です、この方式は少ない水での洗浄と、洗剤からの高濃厚の泡を出す事です、水の量は内槽の底で洗剤液から大量の泡が造れる量の水と、内槽の洗う物が濡れる量で済みます、水が多いと洗う物が内槽の中で泳ぎ、空回りです、衣類は泡だと回転しますので高濃厚の泡を大量に造り内槽にどんどん送りこみ、内槽は衣類に超濃厚の泡水を浸透し回転反転する事で洗浄し解決してくれます。この構造が今回の発明の本命です、以上が課題を解決手段です。
基本的な構成に付いて
球型回転式洗濯槽は、水はけの優れた球型回転式洗擢槽の事で錆びない材料で作り球型の洗濯槽の事です、洗剤を外槽に入れ内槽を回転すると濃縮洗剤液を泡に替え大量の泡が出来る、そこに衣類を入れると奥深く浸透した繊維の汚れが解決する、内槽を回転すると遠心力で、衣類が上方向に競りあがり上方面より落下する、その時の衝撃で衣類の繊維に圧力が加わり汚れが分解される仕組みです、この構成は洗剤の最高の濃度の洗浄泡を基本として球型回転式洗濯槽を発明致しました。ここに提供致します。
【発明の効果】
【０００５】本発明は、大変な水が節約できる事です、また球型回転式は洗剤から超濃縮の泡を大量に造りだす事です、静かな運転の事、すすぎの点、脱水の点などいろいろな所に、大変有効な球型回転式洗濯槽です。球型の槽にする事で従来の物とは大変な変化で、球が回る事で汚れが解決するなど思いもしなかった事です、従来の洗濯機は大量の水に洗剤を入れて汚れを落とそうとするのですが、水が大量なので高濃度の泡が造れませんので汚れを綺麗にするのに時間もかかり不経済な洗濯機です、そこで考え試作品を作りアイデア−をいかし、このような球型状の洗濯槽が浮かんで来ました、まず洗濯のさいに大量の水がいらない事です、それに少量の水に洗剤が入る事で超濃縮の大量の泡を造り出す事が出来る事です、従来の洗濯槽とは大変な違いで球型にする事で水が少々で洗濯が出来る事と洗濯時間も大変短縮できるので無駄が無くなり、自分の時間にゆとりが多少でも作れますので大変な節約型だと思い効果は大変結構な物と思います、これからは高齢化時代になるので、少しでも節約出来る物が好ましい時代だと思います、家族の衣類を優しく洗い仕上げ楽しく球型回転式洗濯槽と過ごしたく思います。
【発明の実施するための最良の形態】
【０００６】以下、本発明の実施の形態を説明致します。
【イ】
洗濯槽を球型にすると大変な水の節約と作業時間の短縮が出来ます事をここに申し上げ、ご理解のほどを宜しくお願い致します。球型とは洗う槽をタテ型とかドラム型とかを球にする事です、洗濯槽を球型にする事で大量の水が節約出来るのと洗剤の効率のよい事が大変適しております、また回転式洗濯槽を始動すると衣類が内槽の中で大変順調に回転しながら、上下移動にむらが無く作動しこれが本当の球型の良い所だと思います、また球型は回転すると遠心力で球の中の衣類が、中心に集まる集成が有りまして、これは大変洗濯槽に適して下ります、これによって衣類のよじれが無くなり、またよじれが無いと、すすぎに大変役に立つのです、これで今回の回転式洗濯槽に付いては、水が少なくて、隅々まで奥深く、作業時間も短縮、でこれで今回の全てに納得ができ、ご提供致します。
【ロ】
洗濯槽が球型になると大変コンパクトで置き場にらくな洗濯機になります最近は大きな洗濯機が増えており、お住まいによっては置き場で大変ですこれからは、経済的でシンプルな洗濯機で環境に、自然に高齢者にも簡単な操作で使用でき全てに優しい洗濯機が好まれる時代だと思います、また場合によっては夜遅くとか、早朝の使用も有りますので、ご近所に家族も雑音には優しく使用出来る回転式洗濯槽で実施したいと思います。
【ハ】
この発明は以下の作用の（使用方法）について
洗濯機の心臓部の洗濯槽です、この洗濯槽をいかに改善するかで節約が決まります、ある時に球に興味を持ち、大きな網目状の球を作り中に衣類を入れ回転すると、大変素直に球の中で踊り跳ねる事がわかり、これだと試作に力が入り、あれこれと回転すると、色んな事に突き当たり苦しみながら、洗濯槽と水槽に分類する事に気が付いて、二槽にすると、水はほんの少々で済み、その上洗剤からも大量の泡水が造り出せる事になり、それで本格的に取り組み始めまして、このような球型の洗濯槽と固定式の水槽が出来、水を入れ洗剤を入れ洗濯槽を回転すると思いもよらない、大量の泡で槽全体が泡で一杯です、そこに衣類を入れて回転すると見事に汚れも落ち、なお改善しこれを応用したのが球型回転式洗濯槽の完成です、
【二】
【球型回転式洗濯槽の構成について】
本発明の球型回転式洗濯槽の事です、まず球型洗濯槽とは水はけの大変良い球状体の部品で出来た物で内槽と申し上ます、外槽部品は水槽の事を申し上ます、内槽と外槽を合体した部品を球型回転式洗濯槽と申します。本発明の部品です。洗濯槽の構成に付いては、錆びない物で、大変水はけの良い球型形状の内槽部品で回転式です、外槽部品は水もれしない部品で固定式です、内槽部品の外側に外槽部品を装着し、内と外槽のギャップは数センチで、その中に水と洗剤が入り回転すると、水が少ないので大量の超濃縮な泡が出来、そこに衣類を入れ回転反転すると、回転の遠心で衣類が上方向に競り上がりその時がもみ洗いで、上から落下した衝撃の圧力が叩き洗いと同等されます、これが球型回転式洗濯槽の本発明の本命です。従来のタテ型洗濯機とは大変な改善で、水の節約と洗剤が持つ成分を十分に引出し輝く白さに仕上げられます。以上が今回の発明の説明ですここに提供致します。
【図１】
2007007375.tif 000003
【図２】
2007007375.tif 000004
【手続補正書】
【提出日】平成17年12月15日(2005.12.15)
【手続補正１】
【補正対象書類名】明細書
【補正対象項目名】全文
【補正方法】変更
【補正の内容】
【発明の詳細な説明】
【技術分野】
【０００１】本発明は、洗濯槽の槽全体を球型回転式洗濯槽にすることですべての面が節約出来る洗濯槽です、洗濯槽を球型回転式洗濯槽にすると水が大変少量で済みます従来の洗濯機は大量の水に適量の洗剤を入れても、泡が満足に出ないのに衣類を入れ、洗浄しますから大変時間がかかり、また水も大量に使いましたが、球型回転式洗濯槽は水が少ないところに適量の洗剤を入れて運転すると物すごい泡立ちで洗濯槽全体が泡です、そこに衣類を入れると繊維に泡が浸透し、酵素の力で汚れを分解し解決してくれます球型回転式洗濯槽の水は洗濯物が洗剤水の泡水がたっぷりと、しみこんでぬれた程度です、水が多いと球型回転式洗濯槽の衣類は回転しません、衣類が球型回転式洗濯槽から浮くので球型回転式洗濯槽だけが空回りしてしまいます、球型回転式洗濯槽は、水は少々で済みます。以上が本発明の提供です。
【背景技術】
【０００２】従来の洗濯槽はタテ型で水槽に水を入れパルセータが回転して、水の圧力で衣類が回り、衣類同士の衝撃で汚れが落ちる仕組みでした、大量の水を使用し、洗剤の泡も無く無駄な時間ばかりを失う、すすぎに付いても無駄な水を大量に使用し、雑音もかなり響いていた、不経済的な洗濯機でした。最近になってドラム式等が誕生しましたが、まだまだ改革の必要せいが有ると思い、ここに試作品を作りながらアイデアを生かし、球型回転式洗濯槽を試作致し、洗濯、すすぎ、脱水・乾燥は回転、逆回転で、高速・低速で水平回転をしていますが、全ての回転が終ると洗濯槽は自動的に角度が変わり水平から４５度ほど出し入れ口が上方向に変化しる仕組みで（洗濯槽の中の品物が取出しやすく）高齢者にも使い安すい球型回転式洗濯槽の提供です。
【発明の開示】
【発明が解決しようとする課題】
【０００３】従来の洗濯機はタテ型で大量の水が必要です、大量の水に適量の洗剤を入れても水の量が多い物ですから泡立ちも少ない、そんな洗濯機で今でも頑張っていますこれからの洗濯機は高齢者にも優しい、簡単な操作で環境に、自然に節約型の時代に似合う、経済的に考えついたのが、球型回転式洗濯槽です、水の節約と洗濯時間の短縮に洗剤の持つ成分の引き出せる、構造で経済的にも大変貢献出来る球型回転式洗濯槽で、今世紀にむけて出発したいです、従来の洗濯機は大変大量の水が必要で洗濯時間も大変長くかかり大変不経済型洗濯機でしたこれからは球型回転式洗濯槽型のロ−タリ式洗濯機とでも言う、節約型洗濯機にしたいです。
「この発明で解決しようとするねらい」
球型回転式洗濯槽は、球型の洗濯槽なので、水が大変節約出来る事です、それは洗濯槽と水槽の、二種類の槽で構成し、洗濯槽とは内槽の事です、水槽とは外槽の事です、内槽に洗濯物を入れて、外槽に水と洗剤を入れて、内槽を回転させると大量の超濃厚の泡と洗剤液が洗擢物に浸透し、回転移動をするさいに、衝撃の圧力で繊維の中奥まで洗剤液が凍み込み、酵素の力で汚れを分解して解決してくれます、仕組みに付いては、まず球型回転式洗濯槽は、水が大変少なくて洗える事です、洗剤からの泡たちが物すごく良い事です、汚れの落ちるのが早いのと無駄な時間が解消できる事です、解決のねらいは、槽を二つにする事です、洗濯槽と水槽に分ける事で、節約が出来る、洗濯槽は、洗濯物を叩いて、もみ洗いをする所です、水槽は洗剤から泡だてして洗濯物に補給する所です、このような分離構成によって、節水とか洗剤からの成分の酵素を引出し、大変素早く泡立てが出来る機能が球型回斬式洗濯槽の仕組みで、洗い場と洗剤からの超濃厚の泡たて工場等に分離する事で、従来の大量の洗濯水の中で、泳ぎ洗いとは違い球の中で、上下と回転移動の衝撃と圧力で汚れを分解して解決しょうとする、本発明です。
ここに提供致します。
【課題を解決するための手段】
【０００４】  「手段とは発明の構成（仕組み）のことと理解して下さい」
洗濯槽を従来のタテ型とかドラム式とは違う、球型回転式洗擢槽にする事です、水が大変節約でき、作業時間も短縮で経済的です、この構造は大変簡単です、球型回転式洗濯槽で、水はけの良い構造をした球型の洗濯槽です、洗濯槽の中に洗剤液が浸透した衣類を入れ、球型洗濯槽を回転すると中の衣類が回転によって上下移動をする事で洗浄される構造です、球型回転式洗濯槽とは球体で水はけの良い部品で構成された球型の洗濯槽です、洗濯水のはけの良い部品で、構成されたこの球型洗濯槽に衣類を入れて回転すると、衣類は球の真上から下に向って落下する、落ちた衝撃の圧力で繊維の奥深くの汚れまでが洗剤の酵素の力で分解して解決する仕組みです。
球型回転式洗濯槽、これが今回の発明品です、球型回転式洗濯槽と固定式水槽の二つの槽の組合せです、洗濯槽が内槽と申します、内槽は洗う物を入れて回転反転させる所です、水槽の事を外槽と申しまして、外槽は水と洗剤を入れて、内槽を回転すると大量の泡が造り出せる槽です、この方式は少ない水での洗浄と、洗剤からの超濃厚の泡を造り出す所です、水の量は内槽の底で洗剤から大量の泡が造れる量の水と、内槽の洗う物が濡れる量で済みます、水が多いと洗う物が内槽の中で泳ぎ、空回りです、衣類は泡だと回転しますので超濃厚の泡を大量に造り内槽にどんどん送りこみ、内槽は衣類に超濃厚の泡水を浸透し回転反転する事で洗浄して解決してくれます、この構造が今回の発明の本命です、以上が課題を解決手段です。
「基本的な構成に付いて」
球型回転式洗濯槽は、軽くて汚れ難い材質で壊れ難くい素材で構成され、また水はけも大変良く構成された部品で仕上げた、これが球型洗擢槽の事です、この球型洗濯槽は大変な水の節約ができる部品で、また洗剤からは超濃縮な泡を造りだして洗濯槽に流水し、そこに衣類を入れ回転すると超濃縮液から大量の酵素が出来き、それを衣類の奥深くまで浸透させ繊維の汚れが解決する仕組み、それには内槽を回転させると遠心力で、衣類が上方向に競りあがり上方より落下する、その時の衝撃が衣類の繊維をたたくのと同じ作業で汚れが分解される仕組みです、この構成は叩き洗いと、もみ洗いの原理を応用したものです、そこに超濃縮の泡から酵素の化学の力を基本として、球型回転式洗濯槽を発明致しました。（ここに提供致します）
【発明の効果】
【０００５】本発明は、大変な水が節約できる事です、また球型回転式は洗剤から超濃縮の泡を大量に造りだす事です、静かな運転の事、すすぎの点、脱水の点などいろいろな所に、大変有効な球型回転式洗濯槽です。球型の槽にする事で従来の物とは大変な変化で、球が回る事で汚れが解決するなど思いもしなかった事です、従来の洗濯機は大量の水に洗剤を入れて汚れを落とそうとするのですが、水が大量なので濃厚な泡が造れませんので汚れを綺麗にするのに時間もかかり不経済な洗濯機です、そこで考え試作品を作りアイデア−をいかし、このような球型状の洗濯槽が浮かんで来ました、まず洗濯のさいに大量の水がいらない事です、それに少量の水に洗剤が入る事で超濃縮の大量の泡を造り出す事が出来る事です、従来の洗濯槽とは大変な違いで球型にする事で水が少々で洗濯が出来る事と洗濯時間も大変短縮できるので無駄が無くなり、自分の時間にゆとりが多少でも作れますので大変な節約型だと思い効果は大変結構な物と思います、これからは高齢化時代になるので、少しでも節約出来る物が好ましい時代だと思います。
【発明の実施するための最良の形態】
【０００６】以下、本発明の実施の形態を説明致します。
「イ」
洗濯槽を球型にすると大変な水の節約と作業時間の短縮が出来ます事をここに申し上げ、ご理解のほどを宜しくお願い致します。球型とは洗う槽をタテ型とかドラム型とかを球にする事です、洗濯槽を球型にする事で大量の水が節約出来るのと洗剤の効率のよい事が大変適しております、また回転式洗濯槽を始動すると衣類が内槽の中で大変順調に回転しながら、上下移動にむらが無く作動しこれが本当の球型の良い所だと思います、また球型は回転すると遠心力で球の中で衣類が中心に集まる集成が有りまして、これは大変洗濯槽に適しております、これによって衣類の捩れも少なく洗濯槽には球体状の物が適して居る事が分かりました、球体がこんなに洗濯機に適している途は夢の用です、回転する事で球体の槽の中で洗擢物が大変滑らかに回転して、上面から落ちた衝撃で繊維の奥深くまで汚れを落とす仕組みで、また球体が回転するとき衣類は球体のかべに添って競り上がり、これがもみ洗いになります、この様な考案をここに提供致します。
「ロ」
洗濯槽が球型になると大変コンパクトで置き場にらくな洗濯機になります最近は大きな洗濯機が増えており、お住まいによっては置き場で大変ですこれからは、経済的でシンプルな洗濯機で環境に、自然に高齢者にも簡単な操作で使用でき全てに優しい洗濯機が好まれる時代だと思います、また場合によっては夜遅くとか、早朝の使用も有りますので、ご近所に家族も雑音には優しく使用出来る回転式洗濯槽で実施したいと思います。
「ハ」
「この発明は以下の作用の（使用方法）について」
洗濯機の心臓部の洗濯槽です、この洗濯槽をいかに改善するかで節約が決まります、ある時に球に興味を持ち、大きな網目状の球を作り中に衣類を入れ回転すると、大変素直に球の中で踊り跳ねる事がわかり、これだと試作に力が入り、あれこれと回転すると、色んな事に突き当たり苦しみながら、洗濯槽と水槽に分類する事に気が付いて、二槽にすると、水はほんの少々で済み、その上洗剤からも大量の泡水が造り出せる事になり、それで本格的に取り組み始めまして、このような球型の洗濯槽と固定式の水槽が出来、水を入れ洗剤を入れ洗濯槽を回転すると思いもよらない、大量の泡で槽全体が泡で一杯です、そこに衣類を入れて回転すると見事に汚れも落ち、なお改善しこれを応用したのが球型回転式洗濯槽の完成です、
「二」
「球型回転式洗濯槽の構成について」
本発明の球型回転式洗濯槽の事です、まず球型洗濯槽とは水はけの大変良い球状体の部品で出来た物で内槽と申し上ます、外槽部品は水槽の事を申し上ます、内槽と外槽を合体した部品を球型回転式洗濯槽と申します。本発明の部品です。洗濯槽の構成に付いては、錆びない物で、大変水はけの良い球型形状の内槽部品で回転式です、外槽部品は水もれしない部品で固定式です、内槽部品の外側に外槽部品を装着し、内と外槽のギャップは数センチで、その中に水と洗剤が入り回転すると、水が少ないので大量の超濃縮な泡が出来、そこに衣類を入れ回転反転すると、回転の遠心で衣類が上方向に競り上がりその時がもみ洗いで、上から落下した衝撃の圧力が叩き洗いと同等されます、これが球型回転式洗濯槽の本発明の本命です。従来のタテ型洗濯機とは大変な改善で、水の節約と洗剤が持つ成分を十分に引出し輝く白さに仕上げられます。以上が今回の発明の説明ですここに提供致します。
【図面の簡単な説明】
【０００７】
【図１】  （図１の図面の簡単な説明）「本発明の平面図」
【図２】  （図２の図面の簡単な説明）「本発明の側面図」）
【符号の説明】
【０００８】（１）、  球型回転式洗濯槽、
（２）、  固定式水槽、
（３）、  洗う物の取入れ口、
（４）、  取出し口外蓋、
（５）、  洗濯槽の始動用モーター、
（６）、  洗濯用水の取り入れ口、
（７）、  排水口浄化装置）
2007007375.tif 000005